(57)【要約】【課題】円滑なデータ交換を可能とするデータ交換システムを提供する【解決手段】データ授受を行う１つ以上の送信元及び送信先がデータ登録を行うデータ登録部と、送信元がデータ登録を行った情報を送信先が求める形にフォーマット変換を行うデータ変換部と、入力領域の表示属性情報を格納する属性情報格納部を備え、送信元の情報に対し所定のデータ変換を行い送信先に送信する。また、データ登録形式に関しては、複数日分の情報を登録することが可能な構成とし、情報の入力が必要な項目について属性情報格納部に格納された属性情報に従い強調して表示する。【選択図】図１
2015170082.tif 000002
【特許請求の範囲】
【請求項１】
１つ以上のデータ送信元システム装置と１つ以上のデータ送信先システム装置とに接続され、データ交換を行うデータ交換システムにおいて、
前記データ交換システムは、
前記データ送信元システム装置と前記データ送信先システム装置との情報を交換するデータフォーマット情報を格納し登録するデータ登録システムと、
前記データフォーマット情報を所定のデータフォーマット情報に変換するデータ変換システムと、
前記データフォーマット情報の内容に対し所定の属性を付加する属性情報格納部と、
前記データフォーマット情報の内容を所定のパラメータ変換条件を格納する変換パラメータ格納部と、
前記データ送信元システム装置と前記データ送信先システム装置との送受信関係情報を格納する送受信先情報格納納部とを備え、
前記データ交換システムは、
前記データ送信元システム装置が前記データ交換システムの前記データ登録システムに登録した前記データフォーマット情報を、前記変換パラメータ格納部のパラメータ変換条件により所定のデータフォーマット情報を変換し、
前記属性情報格納部での属性情報を前記変換済データフォーマット情報に付加し、
前記属性情報を付加された変換済データフォーマット情報を前記データ送信先システム装置に送信する
ことを特徴とするデータ交換システム。
【請求項２】
請求項１に記載するデータ交換システムにおいて、前記属性情報を付加された変換済データフォーマット情報で、前記データ送信先システム装置での入力が必要な領域に前記属性情報を付加する
ことを特徴とするデータ交換システム。
【請求項３】
請求項２に記載するデータ交換システムにおいて、前記属性情報は、商品情報と、前記商品情報に対する購入先情報及び納品リードタイム情報とを含み、前記商品情報に対応する前記納品リードタイム情報により入力が必要な領域に判別し前記属性情報を付加する
ことを特徴とするデータ交換システム。
【請求項４】
請求項３に記載するデータ交換システムにおいて、前記属性情報は、前記入力領域に色付け、ないしは網掛けを行い表示する
ことを特徴とするデータ交換システム。
【請求項５】
請求項３に記載するデータ交換システムにおいて、前記属性情報は、前記入力領域に入力された文字に所定の加工を施して表示する
ことを特徴とするデータ交換システム。
【請求項６】
請求項５に記載するデータ交換システムにおいて、前記所定の加工は、
（１）文字種別を他の文字種別と異なる文字とすること
（２）文字をボールド表示とすること
（３）文字をイタリック表示とすること
（４）文字にアンダーラインを付加して表示すること
で、（１）から（４）の内いずれか１つ以上の加工を施す
ことを特徴とするデータ交換システム。
【請求項７】
請求項１に記載するデータ交換システムにおいて、前記データ送信先システム装置が受信した前記変換済データフォーマット情報に対し所定の項目を追加し、前記データ交換システムに送信して登録する
ことを特徴とするデータ交換システム。
【請求項８】
１つ以上のデータ送信元システム装置と１つ以上のデータ送信先システム装置とに接続され、データ交換を行うデータ交換システムにおけるデータ交換方法において、
前記データ交換システムは、
前記データ送信元システム装置と前記データ送信先システム装置との情報を交換するデータフォーマット情報を格納し登録するデータ登録システムと、
前記データフォーマット情報を所定のデータフォーマット情報に変換するデータ変換システムと、
前記データフォーマット情報の内容に対し所定の属性を付加する属性情報格納部と、
前記データフォーマット情報の内容を所定のパラメータ変換条件を格納する変換パラメータ格納部と、
前記データ送信元システム装置と前記データ送信先システム装置との送受信関係情報を格納する送受信先情報格納納部とを備え、
前記データ交換システムは、
前記データ送信元システム装置が前記データ交換システムの前記データ登録システムに登録した前記データフォーマット情報を、前記変換パラメータ格納部のパラメータ変換条件により所定のデータフォーマット情報を変換し、
前記属性情報格納部での属性情報を前記変換済データフォーマット情報に付加し、
前記属性情報を付加された変換済データフォーマット情報を前記データ送信先システム装置に送信する
ことを特徴とするデータ交換システムのデータ交換方法。
【請求項９】
請求項８に記載するデータ交換システムのデータ交換方法において、前記属性情報を付加された変換済データフォーマット情報で、前記データ送信先システム装置での入力が必要な領域に前記属性情報を付加する
ことを特徴とするデータ交換システムのデータ交換方法。
【請求項１０】
請求項９に記載するデータ交換システムのデータ交換方法において、前記属性情報は、商品情報と、前記商品情報に対する購入先情報及び納品リードタイム情報とを含み、前記商品情報に対応する前記納品リードタイム情報により入力が必要な領域に判別し前記属性情報を付加する
ことを特徴とするデータ交換システムのデータ交換方法。
【請求項１１】
請求項１０に記載するデータ交換システムのデータ交換方法において、前記属性情報は、前記入力領域に色付け、ないしは網掛けを行い表示する
ことを特徴とするデータ交換システムのデータ交換方法。
【請求項１２】
請求項１０に記載するデータ交換システムのデータ交換方法において、前記属性情報は、前記入力領域に入力された文字に所定の加工を施して表示する
ことを特徴とするデータ交換システムのデータ交換方法。
【請求項１３】
請求項１２に記載するデータ交換システムのデータ交換方法において、前記所定の加工は、
（１）文字種別を他の文字種別と異なる文字とすること
（２）文字をボールド表示とすること
（３）文字をイタリック表示とすること
（４）文字にアンダーラインを付加して表示すること
で、（１）から（４）の内いずれか１つ以上の加工を施す
ことを特徴とするデータ交換システムのデータ交換方法。
【請求項１４】
請求項８に記載するデータ交換システムのデータ交換方法において、前記データ送信先システム装置が受信した前記変換済データフォーマット情報に対し所定の項目を追加し、前記データ交換システムに送信して登録する
ことを特徴とするデータ交換システムのデータ交換方法。
【請求項１５】
１つ以上のデータ送信元システム装置と１つ以上のデータ送信先システム装置とに接続され、データ交換を行うデータ交換システムにおけるデータ交換プログラムにおいて、
前記データ交換プログラムは、
前記データ送信元システム装置と前記データ送信先システム装置との情報を交換するデータフォーマット情報を格納し登録するデータ登録機能と、
前記データフォーマット情報を所定のデータフォーマット情報に変換するデータ変換機能と、
前記データフォーマット情報の内容に対し所定の属性を付加する属性情報格納機能と、
前記データフォーマット情報の内容を所定のパラメータ変換条件を格納する変換パラメータ格納機能と、
前記データ送信元システム装置と前記データ送信先システム装置との送受信関係情報を格納する送受信先情報格納納機能とを有し、
前記データ送信元システム装置が前記データ交換システムの前記データ登録システムに登録した前記データフォーマット情報を、前記変換パラメータ格納機能のパラメータ変換条件により所定のデータフォーマット情報を変換する第１手順と、
前記属性情報格納機能での属性情報を前記変換済データフォーマット情報に付加する第２手順と、
前記属性情報を付加された変換済データフォーマット情報を前記データ送信先システム装置に送信する第３手順とを実行させる
ことを特徴とするデータ交換システムのデータ交換プログラム。
【発明の詳細な説明】
【技術分野】
【０００１】
本発明は、データ交換システム、データ交換方法およびデータ交換プログラムに関する。
【背景技術】
【０００２】
企業間や個人−企業間における情報交換のシステム化に関しては、従来から様々な手段（通信手順、授受を行うデータフォーマット等）により実現されている。このような環境下で、日々大量の定型情報を交換する業務の例として、スーパーマーケットで取り扱う商品の受発注時の情報交換がある。本商品受発注業務は従来、電話またはＦＡＸなどの通信手順によりデータ化されることなく受発注情報のやり取り（送受信）を行ってきた。しかしながら、取り扱う商品の種類の増加及び１商品毎の情報（産地、価格、個数、生産者名など）も増加が著しく、それに伴い受発注における取扱情報量が急増している。
【０００３】
そのため、事務処理の手間の増加や交換情報の間違いの増加などの課題が発生することとなり、企業システム間におけるデータ通信による受発注データ交換が普及している。また、複数の企業間における受発注データ交換を効率的に実現するため、各業界に通信手順やデータフォーマットを統一化（標準化）する動きも進展しつつある。しかしながら、全ての企業が標準化されたルールに則る情報システムを構築する技術を保有しているとは限らない。また、従来の商習慣が、標準化されたルールに適合しないケースも存在する。そのため、既存のＦＡＸを活用した情報交換方式が使われているケースは少なくない。
【０００４】
このような課題を解決するための技術として、受発注情報の生成を簡易に実現する手段を提供しこれらの生成した情報を標準化されたルールに則ったデータ構造に変換を行うための手段などが考案されている（特許文献１）。具体的には、流通ＢＭＳ（Ｂｕｓｉｎｅｓｓ  Ｍｅｓｓａｇｅ  Ｓｔａｎｄａｒｄｓ）に参加する卸商、仲買人、小売商などの担当者が認識し易い表計算のフォーマットで記載した発注データによりタイムリーな業務の情報交換を行い、情報の受信後に発注データをコンピュータが認識し易いＣＳＶ（Ｃｏｍｍａ−Ｓｅｐａｒａｔｅｄ  Ｖａｌｕｅｓ）形式、ＸＭＬ（Ｅｘｔｅｎｓｉｂｌｅ  Ｍａｒｋｕｐ  Ｌａｎｇｕａｇｅ）形式に変換する手段（業務フロー）を提供するものである。そのため、ＥＤＩ（Ｅｌｅｃｔｒｏｎｉｃ  Ｄａｔａ  Ｉｎｔｅｒｃｈａｎｇｅ）データ生成部を有する生鮮等業務発注支援システムをインターネットに対して接続する。小売業者用端末は生鮮等業務発注支援システムに対して発注台帳を送信する。生鮮等業務発注支援システムは該発注台帳を発注先毎の発注情報に割り振った後にＸＭＬ形式にデータを変換し、卸売業者用端末に送信する。
【先行技術文献】
【特許文献】
【０００５】
【特許文献１】日本公開特許２０１３−８１２８号公報
【発明の概要】
【発明が解決しようとする課題】
【０００６】
複数企業におけるデータ交換を円滑に実現するために、従来ではデータフォーマットを統一し、各受発注のデータ交換を行う企業が統一フォーマットに則りデータを作成することにより対応を行ってきた。また、特許文献１のような先行技術では、統一フォーマットのデータ作成を容易にするため、近年普及しているパソコン上で稼働する表計算ソフトウェアを活用した作成方式も考案されている。
【０００７】
しかしながら従来技術では、現行業務で情報交換されている形式（フォーマット）の変更が発生する可能性がある。そのため、データ作成の考え方および情報交換内容の企業間の合意が必要となり、円滑にデータ交換プラットフォームの普及が進まないケースが多い。そこで、本発明では、円滑なデータ交換を可能とするデータ交換システムを提供することを目的とする。
【課題を解決するための手段】
【０００８】
上記課題を解決するために、本発明のデータ交換システムでは、データ授受を行う１つ以上の送信元及び送信先がデータ登録を行うデータ登録部と、送信元がデータ登録を行った情報を送信先が求める形にフォーマット変換を行うデータ変換部と、入力領域の表示属性情報を格納する属性情報格納部を備え、送信元の情報に対し所定のデータ変換を行い送信先に送信する。また、データ登録形式に関しては、１日単位で複数日の情報を登録することが可能な構成とし、情報の入力が必要な項目について属性情報格納部に格納された属性情報に従い強調して表示する。
【発明の効果】
【０００９】
本発明により、現行の受発注業務において未だ多用されているＦＡＸでの業務運用において、現行活用しているフォーマットを変えることなく、ＦＡＸと同じイメージでのシステム入力が可能となるため、現行業務の仕組みなどを変更することなく、受発注情報のデータ化が実現できる。
【００１０】
更に、データ化を実現することにより、正確な受発注情報の交換および記録が可能となる。そのため、紙の削減による環境への配慮、併せてデータ化による伝票処理業務の大幅な効率向上を実現できる。前述以外の課題、構成及び効果は、以下の実施形態の説明により明らかにされる。
【図面の簡単な説明】
【００１１】
【図１】図１は、本発明のシステム構成を示す図である。
【図２】図２は、送受信先情報のデータ構造の構成例を示す図である。
【図３】図３は、商品属性情報のデータ構造の構成例を示す図である。
【図４】図４は、データ交換ファイルのイメージ例を示す図である。
【図５】図５は、データ交換処理における事前準備処理の動作を示すフローチャート図である。
【図６】図６は、本発明のデータ交換処理の動作を示すフローチャート図である。
【発明を実施するための形態】
【００１２】
以下、図面を参照しながら本発明の実施の形態を説明する。なお、以下の説明では、「管理テーブル」等の表現にて各種情報を説明することがあるが、各種情報は、テーブル以外のデータ構造で表現されていてもよい。また、データ構造に依存しないことを示すために「管理テーブル」を「管理情報」と呼ぶことができる。
【００１３】
また、「プログラム」を主語として処理を説明する場合がある。そのプログラムは、プロセッサ、例えば、ＭＰ（Ｍｉｃｒｏ  Ｐｒｏｃｅｓｓｏｒ）やＣＰＵ（Ｃｅｎｔｒａｌ  Ｐｒｏｃｅｓｓｉｎｇ  Ｕｎｉｔ）、マイクロコントローラなどによって実行されるもので、定められた処理をするものである。なお、適宜に記憶資源（例えばメモリ）及び通信インターフェース装置（例えば、通信ポート）を用いながら行うため、処理の主語がプロセッサとされてもよい。プロセッサは、ＣＰＵの他に専用ハードウェアを有していても良い。コンピュータプログラムは、プログラムソースから各コンピュータにインストールされても良い。プログラムソースは、例えば、プログラム配布サーバ又は記憶メディアなどで提供されるものであっても良い。
【００１４】
また、各要素、例えば、コントローラは番号などで識別可能であるが、識別可能な情報であれば、名前など他種の識別情報が用いられても良い。本発明の図及び説明において同一部分には同一符号を付与しているが、本発明が本実施例に制限されることは無く、本発明の思想に合致するあらゆる応用例が本発明の技術的範囲に含まれる。また、特に限定しない限り、各構成要素は複数でも単数でも構わない。なお、データ送信元システム装置１（１０１）と、括弧内に符号を表記することがある。
【００１５】
以下、本発明の一実施例について図面を用いて詳細に説明する。本発明の適用例として、流通卸売業および小売業における、商品受発注情報のデータ交換を例に詳述する。
【００１６】
図１は、本発明のシステム構成を示す図である。システム１０は、データ交換システム１００、データ送信元システム装置１（１０１）、データ送信元システム装置２（１０２）、データ送信先システム装置１（１０８）、データ送信先システム装置２（１０９）を備え、各システム装置はネットワーク１１０及び１１１で相互に接続され、データの送受信が行われる。
【００１７】
また、データ交換システム装置１００は、データ登録システム１０３、データ交換システム１０４、商品属性情報データ格納部１０５、変換パラメータ格納部１０６、送受信先情報格納部１０７を備える。
【００１８】
データ登録システム１０３は、送受信を行うデータを登録するシステムである。データ交換システム１０４は、データ送信元システム装置１（１０１）またはデータ送信元システム装置２（１０２）から送信され、データ交換システム装置１００で受信したデータを所定のフォーマットに変換し送信データを生成するシステムである。データ交換システム装置１００は、内部に装置全体を制御するＣＰＵ１０４１と、各種データや装置制御情報など格納するメモリ１０４２を備える。また、図示はしていないが、データ登録システム１０３もＣＰＵ及びメモリを備える。
【００１９】
商品属性情報データ格納部１０５は、商品属性に基づく情報（商品名、卸企業名、納品リードタイムなど）を格納する記憶部である。変換パラメータ格納部１０６は、データ送信元システム装置１（１０１）またはデータ送信元システム装置２（１０２）からデータ交換システム装置１００への入力情報を、データ送信先システム装置１（１０８）またはデータ送信先システム装置２（１０９）が求めるデータタイプにデータを変換するための変換パラメータを格納するための記憶部である。
【００２０】
送受信先情報格納部１０７は、送信元及び送信先を一意に識別する情報を格納する記憶部である。送受信先情報格納部１０７へは、図２のように「青果卸２」と「小売１」、「小売２」と業者名を格納してもよいし、「データ送信元システム装置１（１０１）」と「データ送信先システム装置１（１０８）」、「データ送信先システム装置２（１０９）」とシステム装置名を格納してもよい。
【００２１】
図２は、送受信先情報のデータ構造の構成例を示す図である。送受信先情報２０は、送信先と送信元を管理する情報で、送信元の情報を格納する送信元２０１と、送信先の情報を格納する送信先２０２を備える。図２の例では、送信元２０１が「青果卸２」の送信先として、送信先２０２に「小売１」と「小売２」がそれぞれ設定されている。
【００２２】
図３は、商品属性情報のデータ構造の構成例を示す図である。商品属性情報３０は、商品の内容を管理する情報で、商品を一意に特定するための商品名３０１、卸売企業を一意に識別するための卸企業３０２、商品が発注されてから納品されるまでに必要な時間を指定する納品リードタイム３０３を備える。
【００２３】
商品名３０１には、例えば、「ピーマン」や「たまねぎ」という情報を格納する。卸企業３０２には、例えば、「青果卸２」という情報を格納する。納品リードタイム３０３には「１日」、「２日」など、発注から納品までの期間情報を格納する。
【００２４】
図４は、データ交換ファイルのイメージ例を示す図である。データ交換ファイルのイメージ４０は、データ交換を行うために入力するフォーマットを、例えば表計算ソフトウェアを活用して作成されるもので、各企業間で使用中のＦＡＸフォーマットと同等な内容を定義可能とする。なお、本フォーマットは表計算ソフトウェアで作成されることに限定されず、例えば、文書作成ソフトなどのアプリケーションソフトウェアで作成してもよい。
【００２５】
図５は、データ交換処理における事前準備処理の動作を示すフローチャート図である。本例では、データ送信元システム装置１（１０１）を「青果卸１」、データ送信元システム装置２（１０２）を「青果卸２」、データ送信先システム装置１（１０８）を「小売１」、データ送信先システム装置２（１０９）を「小売２」とする。
【００２６】
データ交換を開始するために、データ送信元システム装置１（１０１）ないしデータ送信元システム装置２（１０２）は、データ交換を行うために入力するフォーマットを、例えば表計算ソフトウェアを活用して作成する。データ交換システム装置１００のデータ登録システム１０３は、作成された入力フォーマットを受け付ける。受け付けられた入力フォーマットは、データ変換システム１０４のＣＰＵ１０４１によりメモリ１０４２に格納し登録する（ステップＳ５０１）。
【００２７】
なお、図４の入力フォーマットのイメージは、各企業間で使用中のＦＡＸフォーマットと同等な内容を定義可能とする。また、この時点（ステップＳ５０１の実行完了時点）では、図４に記載済である「原単価」及び「発注数量」の欄は未記入で空欄とする。
【００２８】
次に、データ登録システム１０３は、送信先へデータを送信する際に内容の変換が必要な入力項目（表計算ソフトウェアで作成された入力フォーマットの入力項目）に対するデータ変換内容（フォーマット変換パターン）を、変換パラメータ格納部１０６へ格納し登録する（ステップＳ５０２）。ちなみに、このデータ変換内容はデータ送信元システム装置１（１０１）ないしデータ送信元システム装置２（１０２）より送信された情報をデータ登録システム１０３が変換パラメータ格納部１０６に格納し登録するものである。なお、データ変換処理の動作については後述し、ここでは詳述しない。
【００２９】
次に、データ送信元システム装置１（１０１）ないしデータ送信元システム装置２（１０２）は、データ送信元に対するデータ送信先の情報をデータ交換システム装置１００へ送信し、データ交換システム装置１００のデータ登録システム１０３は送受信先情報１０７へ格納し登録する（ステップＳ５０３）。なお、本実施例では、「青果卸２」という企業が、「小売１」「小売２」という２つの企業にデータ送信を行うケースを想定しているので、データ登録システム１０３が図２に示す情報を送受信先情報格納部１０７へ登録する。
【００３０】
最後に、データ送信元システム装置１（１０１）ないしデータ送信元システム装置２（１０２）は、例えば、図３に示す商品属性に基づく情報（商品属性情報３０）をデータ交換システム装置１００へ送信し、データ交換システム装置１００のデータ登録システム１０３は商品属性情報データ格納部１０５へ格納し登録する（ステップＳ５０３）。
【００３１】
以上の処理で、データ交換を実行するための環境を構築することができる。そのため、卸業者「青果卸１」（データ送信元システム装置１（１０１））ないし「青果卸２」（データ送信元システム装置２（１０２））と、「小売１」（データ送信先システム装置１（１０８））ないし「小売２」（データ送信先システム装置２（１０９））との間を所定のデータフォーマットに従い受発注を行える環境となる。
【００３２】
図６は、本発明のデータ交換処理の動作を示すフローチャート図である。次に、具体的なデータ交換の動作について図６で説明する。
【００３３】
まず、ステップＳ６０１で、データ交換システム装置１００のデータ交換システム１０４のＣＰＵ１０４１は、データ交換を行う送信データ（図４に示す「店舗発注書」の入力イメージ４０）を作成し、メモリ１０４２に格納する。なお、この時点では、図４に記載済である「発注数量」のみ未記入とする。
【００３４】
次に、ステップＳ６０２で、データ登録システム１０３は、作成した送信先情報をデータ登録システム１０３へ格納し登録する。
【００３５】
ステップＳ６０３で、データ交換システム１０４は、ステップＳ６０１でメモリ１０４２に格納し登録した送信データに対して、小売企業が求めるデータタイプにデータ変換を行う。このデータ変換処理は、データ交換システム１０４が変換パラメータ格納部１０６に格納されている変換パラメータ情報を取得し、取得した変換パラメータ情報で送信データのフォーマットを変換するものである。
【００３６】
データフォーマットの変換の一例として、図４で「取引先名」の欄が「部門」の欄の次に位置する、「店舗コード」が「店舗名」の前に位置するようフォーマットを変換するものである。但し、フォーマット変換はこれに限定されるものではない。
【００３７】
次に、ステップＳ６０４で、データ交換システム１０４は、商品属性情報データ格納部１０５に格納された商品属性内容で送信データに対してデータ変換処理を行う。本実施例では、図３に示すように、「ピーマン」と「たまねぎ」とでは、納品リードタイム３０３が異なるので、納品日に対する発注締日（小売企業が卸売企業への発注を完了させる必要がある期日）が異なる。
【００３８】
具体的には、「ピーマン」はリードタイムが「１日」であるため、前日までの発注が必要であり、「たまねぎ」はリードタイムが「２日」であるため、前々日までの発注が必要となる。ところが、卸売企業が小売企業に提供する「店舗発注書」には発注期限を示す情報がなく、卸売企業が作成した発注書がそのままの形態で小売企業に配布される。そのため、小売企業では、いつまでに発注をしないといけないかが不明である。
【００３９】
そこで本実施例では、図４のように小売企業が入力する発注数量入力欄へ入力を促すデータ変換処理を施す。例えば、発注数量で「締め済」の箇所は数値を「イタリック」で表示する。また、当日の締め対象の箇所は数値を「アンダーライン付」で強調して表示する。更に、その他（明日以降の締め期限）の箇所は空欄で表示する。このように、発注期限が本日である発注品目の数量の入力を小売企業へ促す構成とする。
【００４０】
入力を促す別な方法として、入力欄毎に色分けして表示することも可能である。例えば、発注数量で「締め済」の箇所は「青色」で、当日の締め対象の箇所は「オレンジ色」で、その他（明日以降の締め期限）の箇所は「白色」で表示するようデータ変換を行う。また、入力を促す領域を太線で囲ってもよいし、網掛してもよい。これにより、入力を行わないといけない領域を可視化することで発注ミスを防止することができる。
【００４１】
次に、ステップＳ６０５で、データ交換システム装置１００は、図２に示す送信先情報２０に従い、送信すべき受発注情報を小売企業側に送信する。なお、商品情報を送信された小売企業は、データ送信先システム装置１（１０８）またはデータ送信先システム装置２（１０９）により、データ交換システム装置１００のデータ登録システム１０３から登録されたデータの取得を行い、内容を確認する。
【００４２】
次のステップとしては、小売企業から卸売企業に対して、発注数量等の情報を追記したデータを送信するステップとなるが、その処理は送受信の方向は異なるが図３のフローと同様であるので説明を省く。
【００４３】
従来のデータ交換システムにおいては、予めデータ交換仕様（通信プロトコルおよびデータフォーマット）を策定するため、情報の追記を自由に行うことは不可能である。ところが、本発明のデータ交換システムでは、作成した入力フォーマットへの情報追記を可能とすることができる。そのため、小売企業から卸売企業にデータを送信する際、入力フォーマットへの追記が行われていたと判断できる場合は、ステップＳ６０３のデータ変換処理のスキップを自動的に行う。
【００４４】
なお、入力フォーマットへの追記が行われているか否かは、データ交換システム１０３で最初に登録された入力フォーマット（初期登録フォーマット）との比較を行うことにより判定を行う。これにより、通常ＦＡＸ等で行っていた注文書の送受信と注文書への追記を、データ交換システムで行うことができるので作業工数及び作業時間を低減でき、効率化を図ることがえきる。また、小売企業からの複数日に渡る発注情報の伝送も可能となるため、ＦＡＸ運用で進められている受発注業務に極めて近い形での業務運用が可能となる。
【００４５】
なお、本発明は上記した実施例に限定されるものではなく、様々な変形例が含まれる。  また、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【００４６】
また、各実施例の構成の一部について、他の構成の追加・削除・置換をすることが可能である。また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。
【００４７】
各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置いてもよい。
【００４８】
また、制御線や情報線は説明上必要と考えられるものを示しており、製品上必ずしも全ての制御線や情報線を示しているとは限らない。実際には殆ど全ての構成が相互に接続されていると考えてもよい。
【産業上の利用可能性】
【００４９】
本データ交換システム及びデータ交換方法によれば、流通業における受発注データ交換業務に関して、現在でも多く適用されているＦＡＸ運用での受発注業務に対するシステム化に好適である。また、製造業における部品の受発注などにも適用可能である。
【符号の説明】
【００５０】
２０：送受信先情報
３０：商品属性情報
１００：データ交換システム装置
１０３：データ登録システム
１０４：データ交換システム
１０５：商品属性情報データ格納部
１０６：変換パラメータ格納部
１０７：送受信先情報格納部
１０１、１０２：データ送信側システム装置
１０８、１０９：データ受信側システム装置
【図１】
2015170082.tif 000003
【図２】
2015170082.tif 000004
【図３】
2015170082.tif 000005
【図４】
2015170082.tif 000006
【図５】
2015170082.tif 000007
【図６】
2015170082.tif 000008